(57)【要約】【課題】  従来のコーヒーバッグは袋の容量、サイズ等は同様であるが、カップの口径の大小に適応させ袋部をカップ上に支える支持体をカップ口径より大きく構成することで使用する厚紙の面積量も多くコスト高の原因でもあった。【解決手段】  本発明は、この様な従来の課題を解決するため、支持体の構造を単純にして組み立てを必要とせず又、袋部全体の大きさと同程度で構成する支持体型として使用する厚紙等の面積量を少なくし単純構成にして低コスト化を計り、又その使用性も手軽にする。【選択図】      図１
2005224567.tif 000002
【特許請求の範囲】
【請求項１】
袋２の口部を形成する口部支持帯４とその口部支持帯４の左右の折り目３から各下方に長く伸び出た支持板１０とその支持板１０の両側下方に伸び出てもうけた係止アーム部６とその下方先端部にもうけたサイド凸部７とその支持板１０の下方先端部にもうけたサイド凸部７の中間にセンター凸部９を有し、その間を係止凹部８とし、左右のサイド凸部７を結ぶ帯状係止部１５からなる係止部を有した左右の支持板１０がカップ１３の口径の大小により下方側が外方向に開くことで支持板１０上部で一体になっている口部支持帯４が支持板１０の上端１１と１８が各上方口１の内方向に向くことで生じる口部支持帯４自体の変形を口部支持帯４の両側部の側部１２と１７の上方側が外方向に開き又、変形することで上端１１と１８の変形分を吸収できるように口部支持帯４に柔軟性をもたせるため細長い帯状で筒型をした口部支持帯４としたことを特徴としたドリップ抽出バッグ。
【請求項２】
カップ１３の口径の大小に応じてセットできるようにするために、袋２の口部を形成する口部支持帯４とその口部支持帯４の左右の折り目３から各下方に長く伸び出た支持板１０とその支持板１０の両側下方に伸び出てもうけた係止アーム部６とその下方先端部にもうけたサイド凸部７とその支持板１０の下方先端部にもうけたサイド凸部７の中間にセンター凸部９を有し、その間を係止凹部８とし、左右のサイド凸部７を結ぶ帯状係止部１５からなる係止部を有した左右の支持板１０が下方側で外方向に大きく開くようにするために上方口１側から直接下方側に長く伸び出て左右に構成配置したことを特徴としたドリップ抽出バッグ。
【請求項３】
袋２内に加わる重量を支えるのに必要な強度を上方口１側から下方向に長く伸び出た左右の支持板１０に生じさせるため支持板１０の中央部で縦方向に伸び出て口部支持帯４からセンター凸部９に貫通する２枚の支持板の縁を合わせた接合部を位置させ支持柱５を形成し強度を高めさらに支持板１０が支持柱５から左右外側方向に「く」の字型に開き立体形を形成し強度を高めるために支持柱５の両側部に各平行した折り曲げ部１４をもうけた支持板１０であることを特徴としたドリップ抽出バッグ。
【請求項４】
口部支持帯４の左右の折り目３から各下方に伸び出た支持板１０の中央下端のセンター凸部９をカップ１３の内側に位置させ支持柱５から左右に広がる係止部アーム部６を各外方向に開きこの下端の各サイド凸部７をカップ１３の外側に位置させ帯状係止部１５でカップ１３の外側面をとらえセットしたときに同時に支持板１０の上端で一体となっている口部支持帯４の左右の側部１２と１７が水平外方向に湾曲し上方口１が丸型の形状を構成させその形状を固定させるため細長い帯状の口部支持帯４と支持板１０の上端で一体になっていることを特徴としたドリップ抽出バッグ。
【請求項５】
袋２の大きさの範囲内で構成した支持体とするため、図２に示す様に口部支持帯４の左右から下方に各伸び出た支持板１０の下方側を外方向に広げ支持板１０の側方に広がる係止アーム部６を開き展開してカップ１３の口径の大小に十分対応できる支持体構成でありながら袋２の大きさの範囲内での収納時の大きさとなる支持体を構成し胴体部や本体部を有さず上方口１を形成する口部支持帯４から直接左右下方に伸び出た支持板１０に袋２の内側方向に向き伸び出てた各係止アーム部６とその支持板１０の下端に各もうけた係止部から構成していることを特徴としたドリップ抽出バッグ。
【発明の詳細な説明】
【技術分野】
【０００１】  本発明は、カップ上にセットして使用するレギュラーコーヒー等の使い捨てタイプのドリップ式抽出バッグに関する。
【背景技術】
【０００２】  従来のコーヒーバッグは、通水濾過性のシートにより構成した袋内にコーヒー粉を入れ、この袋を防水加工した厚紙等により支持体を構成したカップ上にセットして使用する。
【特許文献１】  特開２０００−２１１６７０号  公報
【特許文献２】  実開平６−２１５２６
【特許文献３】  実開昭５８−１２２５２７
【発明の開示】
【発明が解決しようとする課題】
【０００３】  カップ上にセットして使用するコーヒーバッグの袋の口径や全体の大きさはカップの口径より基本的に小さくこの袋部をカップ上に定置して使用するための支持体はカップ口径と袋部より大きく構成した構造である必要があり、この支持体に使用する厚紙等の使用面積は多く使用されコスト高の原因であった。  例  特開２０００−２１１６７０号【０００４】  又、従来の支持体構成は基本的に上部側で袋の口部形を形成保持するための口部支持体と支持体全体を支えるための中間部としての本体部又は胴体部を有し、その下部側にはカップ上に置きセットするための係止部等を形成した３部構成からなるため複雑で大きな構造となり、そのため使用の際に組み立てを必要としたり又、その組み立てのための構造も必要とした。  例  特開  ２０００−２１１６７０号【０００５】  通常、カップ口径は６〜７ｃｍから１０ｃｍくらいまでの口径に適応する必要がコーヒーバッグにはあり、支持体の大きさがカップ口径と同じ程度の支持体の場合で支持体の下部に係止部をもうけたケースではカップ口径の大小が２倍近くに違うと対応しきれない場合が生じた。  例  実開平６−２１５２６  実開昭５８−１２２５２７【０００６】  袋の口部上端側から下方に向けて伸び出た支持体を左右に各有し、その先端を係止部とした方式の場合、カップ口径の大小に対して左右の支持体の下方を外方向へそれぞれ開く支持体の開き加減によってカップ口径の大小に適応させれるが、上端の折り目から下方に折り曲げ下げている支持体はこの折り目部や又、支持体の胴体部中間から伸び出た系止部などでも付け根部から折れ曲がりやすくなり又、この支持体が平面形である場合も支持板自体が折れ曲がりに弱く袋内のお湯の重量を支える強度が低かった。
例  実開平６−２１５２６  実開昭５８−１２２５２７
【課題を解決するための手段】
【０００７】  そして、本発明は上記目的を達成するために、通水濾過性を有する柔軟なシートで袋２を構成し、これは上方が開放した上方口１を有している、さらにこの上方口１の外壁周囲側面に細長い帯状で筒型をした口部支持帯４を一体に取り付けて上方口１を形成している、袋２の上方口１を平たく閉じた時に生じる左右の折り目３を中心に口部支持帯４から下方に向けそれぞれ長く伸び出た支持板１０を有し、この支持板１０は左右方向に幅を有し下方ほど幅広く伸び出て大きな係止アーム部６を左右下方側に構成しており、さらにその先端の両サイドには下方向に伸び出たサイド凸部７を左右それぞれもうけている支持板１０中央部には２枚の支持板の縁を合わせて接着し接合した部分を支持柱５としており、これは支持板１０の中央で縦方向に配置しておりこれは上端の後部支持帯４から下端にもうけたセンター凸部９まで一直線状に貫通している、さらにこの支持柱５の両側部には平行して折り目を入れて折り曲げ部１４としている。この支持柱５の下端にあるセンター凸部９と両サイドにもうけたサイド凸部７の間をそれぞれ係止凹部８としている両サイドにもうけたサイド凸部７は帯状係止部１５で一体になっている、これらからなる係止部を下端に有した支持板１０は口部支持帯４の左右に有する折り目３を中心に各下方側に伸び出て対称の位置に配置し構成しており口部支持帯４から直接下方に伸び出て口部支持帯４と支持板１０とその下端の係止部で支持体の全体構成としている。
【発明の効果】
【０００８】  口部支持帯４の左右に有する折り目３からそれぞれ下方に伸び出た支持板１０は左右に広がる係止アーム部６を有しさらにその下方先端にもうけたサイド凸部７とセンター凸部９との間の係止凹部８と両サイドにもうけたサイド凸部７を結ぶ帯状係止部１５からなる係止部を構成しており、カップ１３にセットし袋２をカップ上に支持固定するこの支持板１０は上端に位置する口部支持帯４から直接下方に長く伸び出て形成しているため左右の支持板１０の下方側を外方向に各大きく開くことが出来るため図３と図４に示すようにカップ口径の大小に対して自在に対応しセットできる。【０００９】  下方に伸び出た左右の支持板１０がカップ１３の口径の大小により支持板１０の下方側の開き加減により内側方向に角度が変化する支持板１０の上端側は口部支持帯４において折り目の上端１１と１８が上方口１の内側方向に向き角度を変化させこの変化を口部支持帯４が細長い帯状の口部支持帯４であるための柔軟性が生じておりこの柔軟性により口部支持帯４の側部１２と１７の上方側が外方向に広がり吸収するため口部支持帯４とその左右下方に伸び出た支持板１０との間に自由に角度を変化させ折れ曲がれるようにするための折れ目をもうける必要がなく支持板１０自体の強度を高く保てる。【００１０】  左右の支持板１０を開きカップ１３にセットするときセンター凸部９をカップ１３内に位置させ左右のサイド凸部７をカップ１３の口部外側に位置させ帯状係止部１５はカップ１３の外壁面をとらえセット状態となり、この時左右の係止アーム部６は左右外側方向に開くため支持板１０の上端で一体となっている口部支持帯４は細長く柔軟なため左右の側部１２と１７が外側に湾曲して広がり上方口１は丸型に開きセットと同時にその口型が開き固定されるため従来の様に胴体部と口部が一体の筒形の支持体の場合これを開くには大きな力を必要とし筒形を開き口部を形成しようとすると支持体に折り目をもうけるなどしなければ口部形を形成できず又、その折り目を固定するために折り目部に折り込み部や折り返し部などの構造をもうけなければ又、その口部形を形成して固定できなかったが本発明では口部支持帯４が細長い帯状の筒型であるため係止アーム部６を開く作用で容易に口部が開き口部形も保持される。【００１１】  折り曲げ部１４は支持板１０の下端のセンター凸部９から上方の口部支持帯４の折り目の上端１１と１８まで支持柱５の両側部に平行し位置して各貫通しており支持柱５を中心に左右に幅を有す支持板１０とその左右下方にさらに広がる係止アーム部６はカップ１３にセットしている時、支持柱５とその左右の折り曲げ部１４から左右外方向に開き、上下に伸びる支持板１０全体が「く」の字型の立体形を形成しているため平面型の支持板に比較して大きな縦方向への強度を生じさせ折れ曲がりに強い。【００１２】  袋２の上方口１を形成する口部支持帯４とその左右の折り目３から各下方に伸び出て構成した支持板１０は袋２の大きさのほぼ範囲内で構成されていながら下方全体が左右外方向に開くためカップ口径の大小にも十分対応でき従来のように袋部より大きくせり出して支持体形を構成する必要がなくコンパクトな構造となり支持体に使用する厚紙等の面積量��少なく低コスト化が計れる
【発明を実施するための最良の形態】
【００１３】  以下、本発明の実施の形態を図１〜図５に基づいて説明する。【００１４】  そのため図に示す様に、通水濾過性を有する柔軟なシートで袋２を構成し、これは上方が開放した上方口１を有している、さらにこの上方口１の外壁周囲側面に細長い帯状で筒型をした口部支持帯４を一体に取り付けて上方口１を形成している、袋２の上方口１を平たく閉じた時に生じる左右の折り目３を中心に口部支持帯４から下方に向けそれぞれ長く伸び出た支持板１０を有し、この支持板１０は左右方向に幅を有し下方ほど幅広く伸び出て大きな係止アーム部６を左右下方側に構成しており、さらにその先端の両サイドには下方向に伸び出たサイド凸部７を左右それぞれもうけている支持板１０中央部には２枚の支持板の縁を合わせて接着し接合した部分を支持柱５としており、これは支持板１０の中央で縦方向に配置しておりこれは上端の口部支持帯４から下端にもうけたセンター凸部９まで一直線状に貫通している、さらにこの支持柱５の両側部には平行して折り目を入れて折り曲げ部１４としている。この支持柱５の下端にあるセンター凸部９と両サイドにもうけたサイド凸部７の間をそれぞれ係止凹部８としている両サイドにもうけたサイド凸部７は帯状係止部１５で一体になっている、これらからなる係止部を下端に有した支持板１０は口部支持帯４の左右に有する折り目３を中心に各下方側に伸び出て対称の位置に配置し構成しており口部支持帯４から直接下方に伸び出て口部支持帯４と支持板１０とその下端の係止部で支持体の全体構成としている。【００１５】  口部支持帯４から直接下方に長く伸び出た支持板１０であるためその下端部にもうけた係止部をカップ１３の口部縁にセンター凸部９をカップ１３内に位置させサイド凸部７をカップ１３の外側に位置させ、その帯状係止部１５でカップ１３の外壁面をとらえセットした時に支持板１０の下方部の開き加減により図３に示す様にカップ１３口径が小さい場合は左右の支持板１０の下方側を小さく開き図４に示す様に大きな口径サイズのカップ１３の場合は左右の支持板１０の下方側を大きく開きセットすることが出来る機能を有する。【００１６】  支持板１０の下方側をカップ１３の口径の大小に合わせセットしたとき支持板１０の中央部にもうけた支持柱５と両側にもうけた折り曲げ部１４から支持板１０の左右側が内側に向けて立体形を形成し、これは下端のセンター凸部９から上端の口部支持帯４までその形状を貫通した直線状であることに対して口部支持帯４が細長い帯状の筒型の支持体でその形状に柔軟性を有することで図５に示す様に左右の支持板１０下方が外方向に開くと支持板１０の上方側が内側に向きその上端１１と１８が口部支持帯４上に於いて上方口１の内側方向に向きその分、口部支持帯４の左右の側部１２と１７の上端側が外方向に向き口部支持帯４上でその変形を柔軟な口部支持帯４が吸収する。【００１７】  図２に示す様に収納した状態から図１に示す様に支持板１０の左右の係止アーム部６を外方向に開きセンター凸部９をカップ１３内に位置させ両サイドのサイド凸部７をカップ１３の外に位置して帯状係止部１５でカップ１３の外壁面をとらえセットしたとき口部支持帯Ａは支持板１０の上端で一体になっている��め口部支持帯４の左右の側部１２と１７は外方向に湾曲して開き上方口１は丸型形の口部を形成し保持されるため従来の様に口部や全体形を形成する支持体に折り目をもうけたり又、その折り目を固定するための折り込み部や折り返し部などの構造をもうける必要がなく又、セット時のそれらの組立作業も必要とせず、口部支持帯４が細長いため柔軟性が生じ有しているためセットと同時に口部を丸型に開きその口部形も固定することが出来る【００１８】  図１に示す様にカップ１３にセットしたときに袋２内に注ぐお湯の重量を支えるための支持板１０は中央部に上下に伸び出た支持板どうしの縁を合わせた接合部を有しておりこれを支持柱５としてもうけており袋２内の重量を支える支持板１０の強度を構成しており又、この支持柱５の左右側部に平行してもうけた折り曲げ部１４はカップ１３にセットするとき支持柱５から左右に広がる係止アーム部６を開きやすくするための折り目作用とともに支持板１０がカップ１３にセットした状態のときに支持柱５とその左右側部にもうけた折り曲げ部１４から外方向に支持板１０が開き「く」の字型の立体形を形成するため支持板１０に加わる縦方向からの重量で横方向に折れ曲がることを防ぐ強度を構成するので平面の支持板に比較して大きな強度が生じている。【００１９】  本発明の支持体は図２に示す様に袋２の上方口１を形成する口部支持帯４とその左右の折り目から下方に伸び出た各支持板１０とその下端にもうけた係止部からなる支持体は袋部の大きさと同じ範囲で構成しており従来の様に袋部より外側に大きく広がり構成した支持体に比較してコンパクトでシンプルな構造でありながらカップ口径の大小にも左右の支持板１０が左右外方向に広がりセットできるものであり支持体に使用する厚紙等の使用面積が少なく低コスト化を図るとともに必要な機能も構成している。【００２０】  その使用法は、袋２内にコーヒー粉を充填して上方口１を左右の折り目３で平たく閉じて仮密着している、この上方口１を開き、左右にもうけた支持板１０の下方部のセンター凸部９をカップ内に各位置させ、両サイドのサイド凸部７と帯状系止部１５を各カップ１３の外壁面をとらえてカップ１３の外側に位置させ、セット固定して中にお湯を注ぎ入れ使用する。
【図面の簡単な説明】
【００２１】
【図１】本発明の使用状態を示す斜視図
【図２】本発明の収納状態の側面図
【図３】本発明のセット状態の側面図
【図４】本発明のセット状態の側面図
【図５】本発明のセット状態の上面図
【００２２】  １は上方口
２は袋
３は折り目
４は口部支持帯
５は支持柱
６は係止アーム部
７はサイド凸部
８は係止凹部
９はセンター凸部
１０は支持板
１１は上端
１２は側部
１３はカップ
１４は折り曲げ部
１５は帯状係止部
１６は接合部
１７は側部
１８は上端
【図１】
2005224567.tif 000003
【図２】
2005224567.tif 000004
【図３】
2005224567.tif 000005
【図４】
2005224567.tif 000006
【図５】
2005224567.tif 000007